(57)【要約】【課題】  コントローラ、コネクタ等を接続する配線等の存在に起因するマット上歩行時の違和感を低減し得る床暖房装置の配線構造を提供する。【解決手段】  コントローラ１と、ヒーター３を備えたヒーターマット部４と、配線２に介装されヒーターマット部４を配線２に接続し得るコネクタ５とを有し、複数のヒーターマット部４をコネクタ５を介して配線２に並列接続した床暖房装置の配線構造において、ヒーターマット部４を、室内壁６近傍に配設したコネクタ５に対して、遠隔配置し得るので、床暖房装置の主たる作用部位であるヒーターマット部４をコネクタ５から離れた場所に配置できる結果、人の歩行頻度の高いヒーターマット部４近傍からマット上歩行時の違和感の原因ともなり得るコネクタ及びこれに接続した配線等を排除でき、結果として、歩行時の違和感を低減し、均一な歩行感を確保し得る。【選択図】図１
2006118745.tif 000002
【特許請求の範囲】
【請求項１】
コントローラと、該コントローラから延設した配線と、ヒーターを備えたヒーターマット部と、前記配線に介装され前記ヒーターマット部を前記配線に接続し得るコネクタとを有し、複数の前記ヒーターマット部を前記コネクタを介して前記配線に並列接続した床暖房装置の配線構造において、前記ヒーターマット部を、室内壁近傍に配設した前記コネクタに対して、遠隔配置し得ることを特徴とする床暖房装置の配線構造。
【請求項２】
前記コネクタを前記室内壁の壁際床面上に配設したことを特徴とする請求項１記載の床暖房装置の配線構造。
【請求項３】
前記コネクタを前記室内壁のコネクタ内蔵幅木内に配設したことを特徴とする請求項１記載の床暖房装置の配線構造。
【発明の詳細な説明】
【技術分野】
【０００１】
本発明は、コントローラ、コネクタ等を接続する配線等の存在に起因するマット上歩行時の違和感を低減し、均一な歩行感を確保し得る床暖房装置の配線構造に関するものである。
【背景技術】
【０００２】
従来、床暖房装置の配線構造では、例えば、特開平６−１４７５１５号公報に開示するように、電源からの配線を、並列配置した複数枚の床暖房パネルに隣接するスペーサー内に通して配設する一方、各床暖房パネル内のヒーターを上記配線に並列接続する構造が、典型例として挙げられる。ここで、図６は、従来例に係る床暖房装置の配線構造Ｃの構成の概略を模式的に示す上面図である。
【０００３】
すなわち、一般的に、上記床暖房パネルに対応するヒーターマット部４相互間の配線においては、電源に接続されたコントローラ１からの配線２を、並列配置した複数枚のヒーターマット部４の前記スペーサーに対応するヒーターマット部延設部１６内に通して配設する一方、各ヒーターマット部４内のヒーター３をヒーターマット部延設部１６内に各ヒーターマット部４に対応して配設した各コネクタ５を介して、配線２に並列接続する配線構造Ｃを採用するのが通例であった（図６参照）。
【０００４】
しかし、かかる配線構造においては、配線部１７であるヒーターマット部延設部１６及び配線マット部１８は周辺マット部９中に配置され、しかも、かかる配線は二心のＶＶＦケーブルを用いており、また、コネクタ５を内蔵するため、周辺マット部９やヒーターマット部４と比べ、歩行の際に、歩行感が硬く感じられる等の配線等の存在に起因するマット上歩行時の違和感があるため、かかる違和感を低減し、均一な歩行感を確保し得る床暖房装置の配線構造が待望されていた。
【特許文献１】特開平６−１４７５１５号公報
【発明の開示】
【発明が解決しようとする課題】
【０００５】
本発明は、上記背景技術に鑑みて発明されたものであり、その課題は、コントローラ、コネクタ等を接続する配線等の存在に起因するマット上歩行時の違和感を低減し、均一な歩行感を確保し得る床暖房装置の配線構造を提供することにある。
【課題を解決するための手段】
【０００６】
上記課題を解決するために、請求項１に係る発明の床暖房装置の配線構造にあっては、コントローラと、該コントローラから延設した配線と、ヒーターを備えたヒーターマット部と、前記配線に介装され前記ヒーターマット部を前記配線に接続し得るコネクタとを有し、複数の前記ヒーターマット部を前記コネクタを介して前記配線に並列接続した床暖房装置の配線構造において、前記ヒーターマット部を、室内壁近傍に配設した前記コネクタに対して、遠隔配置し得ることを特徴とするものである。
【０００７】
請求項２に係る発明の床暖房装置の配線構造にあっては、請求項１記載の床暖房装置の配線構造において、前記コネクタを前記室内壁の壁際床面上に配設したことを特徴とするものである。
【０００８】
請求項３に係る発明の床暖房装置の配線構造にあっては、請求項１記載の床暖房装置の配線構造において、前記コネクタを前記室内壁のコネクタ内蔵幅木内に配設したことを特徴とするものである。
【発明の効果】
【０００９】
本発明の床暖房装置の配線構造では、コントローラと、該コントローラから延設した配線と、ヒーターを備えたヒーターマット部と、前記配線に介装され前記ヒーターマット部を前記配線に接続し得るコネクタとを有し、複数の前記ヒーターマット部を前記コネクタを介して前記配線に並列接続した床暖房装置の配線構造において、前記ヒーターマット部を、室内壁近傍に配設した前記コネクタに対して、遠隔配置し得るので、床暖房装置の主たる作用部位であるヒーターマット部を室内中央部近傍等の前記コネクタから離れた場所に配置できる結果、人の歩行頻度の高いヒーターマット部近傍からマット上歩行時の違和感の原因ともなり得るコネクタ及びこれに接続した配線等を排除でき、結果として、歩行時の違和感を低減し、均一な歩行感を確保し得ることとなる。
【発明を実施するための最良の形態】
【００１０】
以下、本発明の実施形態を図面に基づき説明する。なお、本発明の床暖房装置の配線構造は、下記の実施形態にのみ限定されるものではなく、本発明の要旨を逸脱しない範囲内において種々変更を加え得ることは勿論である。
【００１１】
［第１の実施形態］
図１は、本発明の第１の実施形態である床暖房装置の配線構造Ａの構成の概略を模式的に示す上面図である。一方、図２は、本発明の床暖房装置の配線構造におけるヒーターマット部４の概略を模式的に例示する説明図である。さらに、図３は、床暖房装置の配線構造Ａにおけるコネクタ５の概略を模式的に示す説明図である。
【００１２】
すなわち、本実施形態の床暖房装置の配線構造Ａは、図１に示すように、コントローラ１と、このコントローラ１から延設した配線２と、ヒーター３を備えたヒーターマット部４と、配線２に介装され、ヒーターマット部４を配線２に接続し得るコネクタ５とを有し、複数のヒーターマット部４をコネクタ５を介して配線２に並列接続した床暖房装置の配線構造である。
【００１３】
さらに、本実施形態の床暖房装置の配線構造Ａは、ヒーターマット部４を、室内壁６近傍に配設したコネクタ５に対して、遠隔配置し得るものである。この場合、本実施形態では、コネクタ５を室内壁６の壁際床面８上の周辺マット部９に配設している。
【００１４】
すなわち、本実施形態で使用可能なヒーターマット部４は、図２に示すように、不織布マット１０上にヒーター３を備え、このヒーター３からリード線１１を引き出し、その先端には、コネクタ５に接続可能なコネクタ接続端子１２を設けている。リード線１１は、周辺マット部９の下に配置する。
【００１５】
また、コネクタ５は、図３に示すように、所謂、三分岐コネクタであるので、上記配線２に介装でき、且つ、上記コネクタ接続端子１２とも接続できるため、複数のヒーターマット部４を配線２に並列接続し得ることとなる。本実施形態では、通常、コネクタ５は不織布マット１３上に載置して使用し得る。
【００１６】
本実施形態の床暖房装置の配線構造Ａの施工に関しては、概ね、以下のような手順で実施し得る。
（１）ヒーターマット部４を床暖房配置予定部位に接着施工する。
（２）コントローラ設置壁面１４（室内壁６）に沿った壁際床面８上にコネクタ５をヒーターマット部４と同数接着施工する。
（３）ヒーターマット部４のコネクタ接続端子１２をコネクタ５と結線する。
（４）コネクタ５相互間の結線を行う。
（５）コネクタ５とコントローラ１とを結線する。
（６）周辺マット部９を接着施工する。
（７）通電試験を行い、結線に問題がないことを確認し、仕上材を全面に接着施工する。
【００１７】
本実施形態では、このように、コネクタ５を人が歩行する頻度の低い壁際床面８上の周辺マット部９に配設し、ヒーターマット部４及びその近傍と周辺マット部９との歩行感の差異を緩和するようにしている。
【００１８】
この結果、本実施形態の床暖房装置の配線構造Ａでは、床暖房装置の主たる作用部位であるヒーターマット部４を室内中央部７近傍等の、コネクタ５から離れた場所に配置できることとなり、人の歩行頻度の高いヒーターマット部４近傍からマット上歩行時の違和感の原因ともなり得るコネクタ５及びこれに接続した配線２等を排除でき、結果として、歩行時の違和感を低減し、均一な歩行感を確保し得ることとなる。
【００１９】
［第２の実施形態］
図４は、本発明の第２の実施形態である床暖房装置の配線構造Ｂの構成の概略を模式的に示す上面図である。一方、図５は、床暖房装置の配線構造Ｂにおけるコネクタ内蔵幅木１５の概略を模式的に示す説明図である。
【００２０】
すなわち、本実施形態の床暖房装置の配線構造Ｂは、図４に示すように、コントローラ１と、このコントローラ１から延設した配線２と、ヒーター３を備えたヒーターマット部４と、配線２に介装され、ヒーターマット部４を配線２に接続し得るコネクタ５とを有し、複数のヒーターマット部４をコネクタ５を介して配線２に並列接続した床暖房装置の配線構造である。
【００２１】
さらに、本実施形態の床暖房装置の配線構造Ｂは、ヒーターマット部４を、室内壁６近傍に配設したコネクタ５に対して、遠隔配置し得るものである。この場合、本実施形態では、コネクタ５を室内壁６のコネクタ内蔵幅木１５内に配設している。
【００２２】
すなわち、本実施形態で使用可能なヒーターマット部４は、上記第１の実施形態の場合と同様であって、不織布マット１０上にヒーター３を備え、このヒーター３からリード線１１を引き出し、その先端には、コネクタ５に接続可能なコネクタ接続端子１２を設けたものである（図２参照）。この場合、リード線１１は、周辺マット部９の下に配置する。
【００２３】
また、コネクタ５についても、上記第１の実施形態の場合と同様であって、三分岐コネクタであるので、上記配線２に介装でき、且つ、上記コネクタ接続端子１２とも接続できるため、複数のヒーターマット部４を配線２に並列接続し得ることとなる。
【００２４】
一方、コネクタ内蔵幅木１５では、図５に示すように、図５中の点線部を裏面側から掘り込み、コネクタ５及びこれらを介装した配線２が内蔵可能となっている。
【００２５】
本実施形態の床暖房装置の配線構造Ｂの施工に関しては、概ね、以下のような手順で実施し得る。
（１）ヒーターマット部４を床暖房配置予定部位に接着施工する。
（２）コントローラ設置壁面１４（室内壁６）に沿って、コネクタ内蔵幅木１５を施工する。
（３）ヒーターマット部４のコネクタ接続端子１２をコネクタ５と結線する。
（４）コネクタ内蔵幅木１５とコントローラ１を結線する。
（５）残りの幅木１９を施工する。
（６）周辺マット部９を接着施工する。
（７）通電試験を行い、結線に問題がないことを確認し、仕上材を全面に接着施工する。
【００２６】
本実施形態では、このように、コネクタ５をコネクタ内蔵幅木１５内に内蔵し、ヒーターマット部４及びその近傍と周辺マット部９との歩行感の差異を緩和するようにしている。
【００２７】
この結果、本実施形態の床暖房装置の配線構造Ｂでは、床暖房装置の主たる作用部位であるヒーターマット部４を室内中央部７近傍等の、コネクタ５から離れた場所に配置でき、且つ、コネクタ５を室内壁６のコネクタ内蔵幅木１５内に配設することとなり、人の歩行頻度の高いヒーターマット部４近傍からマット上歩行時の違和感の原因ともなり得るコネクタ５及びこれに接続した配線２等を排除でき、結果として、歩行時の違和感を低減し、均一な歩行感を確保し得ることとなる。
【図面の簡単な説明】
【００２８】
【図１】本発明の第１の実施形態である床暖房装置の配線構造Ａの構成の概略を模式的に示す上面図である。
【図２】本発明の床暖房装置の配線構造におけるヒーターマット部４の概略を模式的に例示する説明図である。
【図３】床暖房装置の配線構造Ａにおけるコネクタ５の概略を模式的に示す説明図である。
【図４】本発明の第２の実施形態である床暖房装置の配線構造Ｂの構成の概略を模式的に示す上面図である。
【図５】床暖房装置の配線構造Ｂにおけるコネクタ内蔵幅木１５の概略を模式的に示す説明図である。
【図６】従来例に係る床暖房装置の配線構造Ｃの構成の概略を模式的に示す上面図である。
【符号の説明】
【００２９】
１      コントローラ
２      配線
３      ヒーター
４      ヒーターマット部
５      コネクタ
６      室内壁
７      室内中央部
８      壁際床面
９      周辺マット部
１０      不織布マット（ヒーター３）
１１      リード線（ヒーター３）
１２      コネクタ接続端子（ヒーターマット部４）
１３      不織布マット（コネクタ５）
１４      コントローラ設置壁面（室内壁６）
１５      コネクタ内蔵幅木
１６      ヒーターマット部延設部
１７      配線部
１８      配線マット部
１９      幅木
Ａ        床暖房装置の配線構造
Ｂ        床暖房装置の配線構造
Ｃ        床暖房装置の配線構造（従来例）
【図１】
2006118745.tif 000003
【図２】
2006118745.tif 000004
【図３】
2006118745.tif 000005
【図４】
2006118745.tif 000006
【図５】
2006118745.tif 000007
【図６】
2006118745.tif 000008